(57)【要約】【課題】受信信号としてデジタル変調信号とアナログ変調信号とが混在している場合でも、受信信号を正しく中継する。【解決手段】デジタル検波部１４は、受信信号を構成するフレームのヘッダに格納されている識別パターンの検出を行い、この検出結果をＣＰＵ２５に供給する。ＣＰＵ２５は、デジタル検波部１４がこの識別パターンを検出すると、受信信号がデジタル変調信号と判定し、検出しないと、受信信号がアナログ変調信号と判定する。デジタル変調信号と判定した場合、デジタル検波部１４と検波信号出力部１６とを接続するように受信信号切替部１５を制御し、送信信号入力部１９とデジタル変調部２２とを接続するように送信信号切替部２０を制御する。【選択図】図１
2008167089.tif 000002
【特許請求の範囲】
【請求項１】
受信信号としてアナログ変調信号又はデジタル変調信号を受信する受信部と、
前記受信部が受信した受信信号を検波するアナログ検波部と、
前記受信信号を検波するデジタル検波部と、
供給された信号をアナログ変調するアナログ変調部と、
供給された信号をデジタル変調するデジタル変調部と、
前記受信部が受信した前記受信信号がアナログ変調信号であるか若しくはデジタル変調信号であるかを判別する信号判別部と、
前記受信信号がアナログ変調信号と前記信号判別部が判別した場合は、前記アナログ検波部が取得した検波信号を前記アナログ変調部に供給し、前記受信信号がデジタル変調信号と前記信号判別部が判別した場合は、前記デジタル検波部が取得した検波信号を前記デジタル変調部に供給する信号供給部と、
前記アナログ変調部がアナログ変調したアナログ変調信号又は前記デジタル変調部がデジタル変調したデジタル変調信号を送信する送信部と、を備えた、
ことを特徴とする無線中継装置。
【請求項２】
前記信号判別部は、前記デジタル検波部が前記受信信号を検波できたときは、前記受信信号がデジタル変調信号と判別し、前記デジタル検波部が前記受信信号を検波できなかったときは、前記受信信号がアナログ変調信号と判別する、
ことを特徴とする請求項１に記載の無線中継装置。
【請求項３】
前記受信部が受信した受信信号は、デジタル変調信号を識別する信号識別情報を含むものであって、
前記デジタル検波部は、前記デジタル変調信号を検波して前記信号識別情報の検出を行い、
前記信号判別部は、前記デジタル検波部が前記信号識別情報を検出したときは、前記受信信号がデジタル変調信号と判別し、前記信号識別情報を検出できなかったときは、前記受信信号がアナログ変調信号と判別する、
ことを特徴とする請求項１に記載の無線中継装置。
【請求項４】
前記信号供給部は、
前記アナログ検波部が検波した信号及び前記デジタル検波部が検波した信号のいずれか一方を選択する検波信号選択部と、
前記検波信号選択部が選択した信号を検波信号として出力する検波信号出力部と、
前記検波信号出力部が出力した検波信号を送信信号として入力する送信信号入力部と、
前記送信信号入力部が入力した送信信号を前記アナログ変調部又は前記デジタル変調部に選択出力する送信信号選択出力部と、
前記受信部が受信した信号がアナログ変調信号と前記信号判別部が判別したときは、前記アナログ検波部が検波した信号を選択するように前記検波信号選択部を制御し、前記送信信号入力部が入力した送信信号を前記アナログ変調部に出力するように前記送信信号選択出力部を制御し、前記受信部が受信した信号がデジタル変調信号と前記信号判別部が判別したときは、前記デジタル検波部が検波した信号を選択するように前記検波信号選択部を制御し、前記送信信号入力部が入力した送信信号を前記デジタル変調部に出力するように前記送信信号選択出力部を制御する選択制御部と、を備えた、
ことを特徴とする請求項１乃至３のいずれか１項に記載の無線中継装置。
【請求項５】
複数の無線送受信機を接続することにより構成され、
各無線送受信機は、
前記受信部と、
前記アナログ検波部と、前記デジタル検波部と、前記アナログ変調部と、前記デジタル変調部と、前記信号判別部と、前記信号供給部と、前記送信部と、を備え、
前記信号供給部は、前記受信部が受信した信号がアナログ変調信号と前記信号判別部が判別したときは、前記アナログ検波部が検波して生成された検波信号を異なる無線送受信機のアナログ変調部に供給し、前記受信部が受信した信号がデジタル変調信号と前記信号判別部が判別したときは、前記デジタル検波部が生成した検波信号を異なる無線機のデジタル変調部に供給する、
ことを特徴とする請求項１乃至３のいずれか１項に記載の無線中継装置。
【請求項６】
複数台接続することにより、アナログ変調信号又はデジタル変調信号を中継する無線中継装置を構成することが可能な無線送受信機において、
受信信号としてアナログ変調信号又はデジタル変調信号を受信する受信部と、
前記受信部が受信した受信信号を検波するアナログ検波部と、
前記受信信号を検波するデジタル検波部と、
供給された信号をアナログ変調するアナログ変調部と、
供給された信号をデジタル変調するデジタル変調部と、
前記アナログ検波部が検波して取得した検波信号及び前記デジタル検波部が検波して取得した検波信号のいずれか一方を選択する検波信号選択部と、
前記受信部が受信した前記受信信号がアナログ変調信号であるか若しくはデジタル変調信号であるかを判別し、判別結果を示す判別信号を生成するとともに、前記判別結果に基づいて前記アナログ検波部が検波して取得した検波信号又は前記デジタル検波部が検波して取得した検波信号を選択するように前記検波信号選択部を制御する信号判別処理部と、
前記検波信号選択部が選択した検波信号を出力する検波信号出力部と供給された信号を入力する供給信号入力部と前記信号判別処理部が生成した判別信号を入出力する判別信号入出力部とを有する信号入出力部と、
前記信号入出力部の前記判別信号入出力部に入力された判別信号に基づいて前記信号入出力部の前記供給信号入力部に入力された信号を前記アナログ変調部又は前記デジタル変調部に供給する信号供給部と、
前記アナログ変調部がアナログ変調したアナログ変調信号又は前記デジタル変調部がアナログ変調したデジタル変調信号を送信する送信部と、を備えた、
ことを特徴とする無線送受信機。
【請求項７】
受信信号としてアナログ変調信号又はデジタル変調信号を受信する受信部と、
前記受信部が受信した受信信号を検波するアナログ検波部と、
前記受信信号を検波するデジタル検波部と、
供給された信号をアナログ変調するアナログ変調部と、
供給された信号をデジタル変調するデジタル変調部と、
前記受信部が受信した前記受信信号がアナログ変調信号であるか若しくはデジタル変調信号であるかを判別する信号判別部と、
前記受信信号がアナログ変調信号と前記信号判別部が判別した場合は、前記アナログ検波部が取得した検波信号を前記アナログ変調部に供給し、前記受信信号がデジタル変調信号と前記信号判別部が判別した場合は、前記デジタル検波部が取得した検波信号を前記デジタル変調部に供給する信号供給部と、
前記アナログ変調部がアナログ変調したアナログ変調信号又は前記デジタル変調部がアナログ変調したデジタル変調信号を送信する送信部と、を備えた、
ことを特徴とする無線中継装置。
【請求項８】
受信信号としてアナログ変調信号又はデジタル変調信号を受信するステップと、
前記受信信号を検波するステップと、
検波した検波信号がアナログ変調信号かデジタル変調信号かを判別するステップと、
前記検波信号がアナログ変調信号と判別したときは、検波した検波信号をアナログ変調するステップと、
アナログ変調したアナログ変調信号を送信するステップと、
前記検波信号がデジタル変調信号と判別したときは、検波した検波信号をデジタル変調するステップと、
デジタル変調したデジタル変調信号を送信するステップと、を備えた、
ことを特徴とする無線中継方法。
【発明の詳細な説明】
【技術分野】
【０００１】
本発明は、無線中継装置、無線中継装置の無線送受信機及び無線中継方法に関するものである。
【背景技術】
【０００２】
送信元から送信された変調信号を受信して、その受信信号から送信信号生成し、送信先に中継送信する無線中継装置がある（例えば、特許文献１参照）。
【特許文献１】特開２０００−３４９６９９号公報（第３，４頁、図１）
【発明の開示】
【発明が解決しようとする課題】
【０００３】
しかし、従来の無線中継装置では、アナログ信号用のものとデジタル信号用のものとが独立しており、アナログ変調信号とデジタル変調信号とが混在する状況下では、双方の無線中継装置を備えなければならず、不都合があった。
【０００４】
例えば、双方の無線中継装置を備えると、装置が大型化してしまう。また、アナログ信号用の無線中継装置がデジタル変調信号を受信しても、アナログ信号用の無線中継装置はデジタル変調信号を検波できないため、ノイズを送信することになる。
【０００５】
本発明は、このような従来の問題点に鑑みてなされたもので、アナログ変調信号とデジタル変調信号とが混在する状況下においても受信信号を正しく中継することが可能な無線中継装置、無線中継装置の無線送受信機及び無線中継方法を提供することを目的とする。
【課題を解決するための手段】
【０００６】
この目的を達成するため、本発明の第１の観点に係る無線中継装置は、
受信信号としてアナログ変調信号又はデジタル変調信号を受信する受信部と、
前記受信部が受信した受信信号を検波するアナログ検波部と、
前記受信信号を検波するデジタル検波部と、
供給された信号をアナログ変調するアナログ変調部と、
供給された信号をデジタル変調するデジタル変調部と、
前記受信部が受信した前記受信信号がアナログ変調信号であるか若しくはデジタル変調信号であるかを判別する信号判別部と、
前記受信信号がアナログ変調信号と前記信号判別部が判別した場合は、前記アナログ検波部が取得した検波信号を前記アナログ変調部に供給し、前記受信信号がデジタル変調信号と前記信号判別部が判別した場合は、前記デジタル検波部が取得した検波信号を前記デジタル変調部に供給する信号供給部と、
前記アナログ変調部がアナログ変調したアナログ変調信号又は前記デジタル変調部がデジタル変調したデジタル変調信号を送信する送信部と、を備えたことを特徴とする。
【０００７】
前記信号判別部は、前記デジタル検波部が前記受信信号を検波できたときは、前記受信信号がデジタル変調信号と判別し、前記デジタル検波部が前記受信信号を検波できなかったときは、前記受信信号がアナログ変調信号と判別するようにしてもよい。
【０００８】
前記受信部が受信した受信信号は、デジタル変調信号を識別する信号識別情報を含むものであって、
前記デジタル検波部は、前記デジタル変調信号を検波して前記信号識別情報の検出を行い、
前記信号判別部は、前記デジタル検波部が前記信号識別情報を検出したときは、前記受信信号がデジタル変調信号と判別し、前記信号識別情報を検出できなかったときは、前記受信信号がアナログ変調信号と判別するようにしてもよい。
【０００９】
前記信号供給部は、
前記アナログ検波部が検波した信号及び前記デジタル検波部が検波した信号のいずれか一方を選択する検波信号選択部と、
前記検波信号選択部が選択した信号を検波信号として出力する検波信号出力部と、
前記検波信号出力部が出力した検波信号を送信信号として入力する送信信号入力部と、
前記送信信号入力部が入力した送信信号を前記アナログ変調部又は前記デジタル変調部に選択出力する送信信号選択出力部と、
前記受信部が受信した信号がアナログ変調信号と前記信号判別部が判別したときは、前記アナログ検波部が検波した信号を選択するように前記検波信号選択部を制御し、前記送信信号入力部が入力した送信信号を前記アナログ変調部に出力するように前記送信信号選択出力部を制御し、前記受信部が受信した信号がデジタル変調信号と前記信号判別部が判別したときは、前記デジタル検波部が検波した信号を選択するように前記検波信号選択部を制御し、前記送信信号入力部が入力した送信信号を前記デジタル変調部に出力するように前記送信信号選択出力部を制御する選択制御部と、を備えたものであってもよい。
【００１０】
複数の無線送受信機を接続することにより構成され、
各無線送受信機は、
前記受信部と、
前記アナログ検波部と、前記デジタル検波部と、前記アナログ変調部と、前記デジタル変調部と、前記信号判別部と、前記信号供給部と、前記送信部と、を備え、
前記信号供給部は、前記受信部が受信した信号がアナログ変調信号と前記信号判別部が判別したときは、前記アナログ検波部が検波して生成された検波信号を異なる無線送受信機のアナログ変調部に供給し、前記受信部が受信した信号がデジタル変調信号と前記信号判別部が判別したときは、前記デジタル検波部が生成した検波信号を異なる無線機のデジタル変調部に供給するようにしてもよい。
【００１１】
本発明の第２の観点に係る無線送受信機は、
複数台接続することにより、アナログ変調信号又はデジタル変調信号を中継する無線中継装置を構成することが可能な無線送受信機において、
受信信号としてアナログ変調信号又はデジタル変調信号を受信する受信部と、
前記受信部が受信した受信信号を検波するアナログ検波部と、
前記受信信号を検波するデジタル検波部と、
供給された信号をアナログ変調するアナログ変調部と、
供給された信号をデジタル変調するデジタル変調部と、
前記アナログ検波部が検波して取得した検波信号及び前記デジタル検波部が検波して取得した検波信号のいずれか一方を選択する検波信号選択部と、
前記受信部が受信した前記受信信号がアナログ変調信号であるか若しくはデジタル変調信号であるかを判別し、判別結果を示す判別信号を生成するとともに、前記判別結果に基づいて前記アナログ検波部が検波して取得した検波信号又は前記デジタル検波部が検波して取得した検波信号を選択するように前記検波信号選択部を制御する信号判別処理部と、
前記検波信号選択部が選択した検波信号を出力する検波信号出力部と供給された信号を入力する供給信号入力部と前記信号判別処理部が生成した判別信号を入出力する判別信号入出力部とを有する信号入出力部と、
前記信号入出力部の前記判別信号入出力部に入力された判別信号に基づいて前記信号入出力部の前記供給信号入力部に入力された信号を前記アナログ変調部又は前記デジタル変調部に供給する信号供給部と、
前記アナログ変調部がアナログ変調したアナログ変調信号又は前記デジタル変調部がアナログ変調したデジタル変調信号を送信する送信部と、を備えたことを特徴とする。
【００１２】
本発明の第３の観点に係る無線中継装置は、
受信信号としてアナログ変調信号又はデジタル変調信号を受信する受信部と、
前記受信部が受信した受信信号を検波するアナログ検波部と、
前記受信信号を検波するデジタル検波部と、
供給された信号をアナログ変調するアナログ変調部と、
供給された信号をデジタル変調するデジタル変調部と、
前記受信部が受信した前記受信信号がアナログ変調信号であるか若しくはデジタル変調信号であるかを判別する信号判別部と、
前記受信信号がアナログ変調信号と前記信号判別部が判別した場合は、前記アナログ検波部が取得した検波信号を前記アナログ変調部に供給し、前記受信信号がデジタル変調信号と前記信号判別部が判別した場合は、前記デジタル検波部が取得した検波信号を前記デジタル変調部に供給する信号供給部と、
前記アナログ変調部がアナログ変調したアナログ変調信号又は前記デジタル変調部がアナログ変調したデジタル変調信号を送信する送信部と、を備えたことを特徴とする。
【００１３】
本発明の第４の観点に係る無線中継方法は、
受信信号としてアナログ変調信号又はデジタル変調信号を受信するステップと、
前記受信信号を検波するステップと、
検波した検波信号がアナログ変調信号かデジタル変調信号かを判別するステップと、
前記検波信号がアナログ変調信号と判別したときは、検波した検波信号をアナログ変調するステップと、
アナログ変調したアナログ変調信号を送信するステップと、
前記検波信号がデジタル変調信号と判別したときは、検波した検波信号をデジタル変調するステップと、
デジタル変調したデジタル変調信号を送信するステップと、を備えたことを特徴とする。
【発明の効果】
【００１４】
本発明によれば、アナログ変調信号とデジタル変調信号とが混在する状況下においても受信信号を正しく中継することができる。
【発明を実施するための最良の形態】
【００１５】
以下、本発明の実施の形態に係る無線中継装置を図面を参照して説明する。
（実施形態１）
実施形態１に係る無線中継装置１の構成を図１に示す。
実施形態１に係る無線中継装置１は、受信アンテナ１１と、受信部１２と、アナログ検波部１３と、デジタル検波部１４と、受信信号切替部１５と、検波信号出力部１６と、音声出力部１７と、ＭＩＣ（マイク）入力部１８と、送信信号入力部１９と、送信信号切替部２０と、アナログ変調部２１と、デジタル変調部２２と、送信部２３と、送信アンテナ２４と、ＣＰＵ２５と、ＲＯＭ２６と、を備える。
【００１６】
受信アンテナ１１は、アナログ変調又はデジタル変調された高周波の受信信号を受信するものである。受信信号がデジタル変調されたデジタル変調信号の場合、デジタル検波部１４が検波して得た情報を有するデジタル信号は、図２に示すように、ヘッダｈ１を含むフレームＤ１によって構成される。このヘッダｈ１には、受信信号がデジタル変調信号であることを識別するための信号識別情報として、識別用パターンが格納される。
【００１７】
受信部１２は、発信信号を生成する局部発振器（図示せず）を備え、受信アンテナ１１が受信した受信信号を増幅し、増幅した受信信号と局部発振器が生成した発信信号とを混合して中間周波信号を生成するものである。受信部１２は、生成した中間周波信号をアナログ検波部１３とデジタル検波部１４とに供給する。
【００１８】
アナログ検波部１３は、受信部１２から供給された中間周波信号を検波（復調）するものである。アナログ検波部１３は、例えば、同期検波により中間周波信号を検波する。
【００１９】
受信部１２が受信した受信信号がデジタル変調信号の場合、アナログ検波部１３は、中間周波信号を検波すると、ノイズを取得してしまう。一方、受信信号がアナログ変調信号の場合、アナログ検波部１３は、中間周波信号を検波して、情報を有するアナログ信号を取得することができる。
【００２０】
デジタル検波部１４は、受信部１２から供給された中間周波信号を検波（復調）するものである。デジタル検波部１４は、例えば同期検波により中間周波信号を検波する。
【００２１】
受信信号がアナログ変調信号の場合、デジタル検波部１４は、中間周波信号を検波すると、ノイズを取得してしまう。一方、受信信号がデジタル変調信号の場合、デジタル検波部１４は、中間周波信号を検波して、情報を有するデジタル信号を取得することができる。
【００２２】
また、デジタル検波部１４は、情報を有するデジタル信号を取得すると、ヘッダｈ１に格納されている識別パターンを検出する。一方、受信信号がアナログ変調信号の場合、デジタル検波部１４は、この識別パターンを検出できない。デジタル検波部１４は、この検出結果をＣＰＵ２５に供給する。
【００２３】
受信信号切替部１５は、ＣＰＵ２５に制御されて、アナログ検波部１３と検波信号出力部１６との接続、デジタル検波部１４と検波信号出力部１６との接続を切り替えることにより、アナログ検波部１３が検波したアナログ信号及びデジタル検波部１４が検波したデジタル信号のいずれか一方を選択するものである。
【００２４】
検波信号出力部１６は、アナログ検波部１３又はデジタル検波部１４から、受信信号切替部１５を介して供給されたアナログ信号又はデジタル信号を出力するものである。
【００２５】
音声出力部１７は、検波信号出力部１６が出力したアナログ信号又はデジタル信号を音声に変換して出力するものである。
【００２６】
ＭＩＣ（マイク）入力部１８は、音声を入力して、アナログ信号又はデジタル信号としての音声信号に変換するものである。ＭＩＣ入力部１８は、変換した音声信号を送信信号入力部１９に供給する。
【００２７】
送信信号入力部１９は、検波信号出力部１６が出力したアナログ信号又はデジタル信号を送信信号として受け付けるものである。
【００２８】
送信信号切替部２０は、ＣＰＵ２５に制御されて、送信信号入力部１９とアナログ変調部２１との接続、送信信号入力部１９とデジタル変調部２２との接続を切り替えることにより、送信信号入力部１９が入力した送信信号をアナログ変調部２１又はデジタル変調部２２に選択出力するものである。
【００２９】
アナログ変調部２１は、送信信号切替部２０を介して送信信号入力部１９から供給されたアナログ信号としての送信信号を信号波として、搬送波をアナログ変調するものである。アナログ変調部２１は、アナログ変調した変調信号を送信部２３に供給する。
【００３０】
デジタル変調部２２は、送信信号入力部１９から送信信号切替部２０を介して供給されたデジタル信号としての送信信号を信号波として、搬送波をデジタル変調するものである、デジタル変調した変調信号を送信部２３に供給する。
【００３１】
送信部２３は、アナログ変調部２１から供給されたアナログ変調信号又はデジタル変調部２２から供給されたデジタル変調信号の周波数を送信用周波数に変換して増幅するものである。送信部２３は、増幅した信号を送信アンテナ２４に供給する。この場合、送信部２３は、受信周波数とは異なる送信用周波数の信号を送信アンテナ２４に供給してもよい。
【００３２】
送信アンテナ２４は、送信部２３から供給されたアナログ変調信号又はデジタル変調信号を電波として出力するものである。
【００３３】
ＣＰＵ２５は、無線中継装置１全体を制御するためのものである。
具体的に、ＣＰＵ２５は、デジタル検波部１４から、識別パターンを検出した旨の検出結果が供給されると、受信信号がデジタル変調信号であり、デジタル検波部１４が、情報を有するデジタル信号を取得したと判別する。
【００３４】
ＣＰＵ２５は、このように判別すると、デジタル検波部１４が取得したデジタル信号をデジタル変調部２２に供給すべく、デジタル検波部１４と検波信号出力部１６とを接続するように受信信号切替部１５を制御する。また、ＣＰＵ２５は、送信信号入力部１９とデジタル変調部２２とを接続するように送信信号切替部２０を制御する。
【００３５】
一方、ＣＰＵ２５は、デジタル検波部１４から、識別パターンを検出されなかった旨の検出結果が供給されると、受信信号がアナログ変調信号であると判別し、アナログ検波部１３が、情報を有するアナログ信号を取得したと判別する。
【００３６】
ＣＰＵ２５は、このように判別すると、アナログ検波部１３が取得したアナログ信号をアナログ変調部２１に供給すべく、アナログ検波部１３と検波信号出力部１６とを接続するように受信信号切替部１５を制御する。また、ＣＰＵ２５は、送信信号入力部１９とアナログ変調部２１とを接続するように送信信号切替部２０を制御する。
【００３７】
ＲＯＭ２６は、ＣＰＵ２５が実行する切替制御処理（１）のプログラムデータを記憶するものである。
【００３８】
次に実施形態１に係る無線中継装置１の動作を説明する。
受信アンテナ１１は、高周波の受信信号を受信し、受信部１２は、中間周波信号を生成し、生成した中間周波信号をアナログ検波部１３とデジタル検波部１４とに供給する。
【００３９】
アナログ検波部１３とデジタル検波部１４とは、それぞれ、受信部１２から供給された中間周波信号を検波（復調）する。また、デジタル検波部１４は、中間周波信号を検波（復調）する。
【００４０】
また、デジタル検波部１４は、検波して情報を有するデジタル信号を取得すると、中間周波信号から識別パターンの検出を行い、識別パターンの検出結果をＣＰＵ２５に供給する。
【００４１】
ＣＰＵ２５は、ＲＯＭ２６から、切替制御処理（１）のプログラムデータを読み出して、図３に示すフローチャートに従って、この処理を実行する。
【００４２】
ＣＰＵ２５は、デジタル検波部１４の検出結果に基づいて受信信号がデジタル変調信号か否かを判別する（ステップＳ１１）。
【００４３】
受信信号がデジタル変調信号と判定した場合（ステップＳ１１；Ｙｅｓ）、ＣＰＵ２５は、デジタル検波部１４と検波信号出力部１６とを接続するように受信信号切替部１５を制御する（ステップＳ１２）。
【００４４】
また、ＣＰＵ２５は、送信信号入力部１９とデジタル変調部２２とを接続するように送信信号切替部２０を制御し（ステップＳ１３）、この切替制御処理（１）を終了させる。
【００４５】
一方、受信信号がアナログ変調信号と判定した場合（ステップＳ１１；Ｎｏ）、ＣＰＵ２５は、アナログ検波部１３と検波信号出力部１６とを接続するように受信信号切替部１５を制御する（ステップＳ１４）。
【００４６】
ＣＰＵ２５は、送信信号入力部１９とデジタル変調部２２とを接続するように送信信号切替部２０を制御し（ステップＳ１５）、この切替制御処理（１）を終了させる。
【００４７】
次に、無線中継装置１の動作を具体的に説明する。
ＣＰＵ２５がデジタル検波部１４から供給された検出結果に基づいて受信信号がデジタル変調信号であると判定すると、受信信号切替部１５は、ＣＰＵ２５によって制御され、デジタル検波部１４と検波信号出力部１６とを接続する（ステップＳ１２）。
【００４８】
また、送信信号切替部２０は、ＣＰＵ２５によって制御されて、送信信号入力部１９とデジタル変調部２２とを接続する（ステップＳ１３）。
【００４９】
デジタル検波部１４と検波信号出力部１６とが接続され、送信信号入力部１９とデジタル変調部２２とが接続されると、無線中継装置１は、図４（ａ）に示す回路となる。
【００５０】
デジタル検波部１４は、デジタル信号を、受信信号切替部１５を介して検波信号出力部１６に出力する。
【００５１】
検波信号出力部１６は、このデジタル信号を送信信号入力部１９に供給する。送信信号入力部１９は、供給されたデジタル信号を送信信号として、送信信号切替部２０を介してデジタル変調部２２に供給する。
【００５２】
デジタル変調部２２は、送信信号入力部１９から送信信号切替部２０を介して供給されたデジタル信号で搬送波をデジタル変調し、この変調信号を送信部２３に供給する。
【００５３】
送信部２３は、デジタル変調部２２から供給された変調信号の周波数を変換し、増幅し、この信号を送信アンテナ２４に供給する。送信アンテナ２４は、この信号を送信する。
【００５４】
一方、ＣＰＵ２５がデジタル検波部１４から供給された検出結果に基づいて受信信号がアナログ変調信号であると判定すると、受信信号切替部１５は、ＣＰＵ２５によって制御され、アナログ検波部１３と検波信号出力部１６とを接続する（ステップＳ１４）。
【００５５】
また、送信信号切替部２０は、ＣＰＵ２５によって制御されて送信信号入力部１９とアナログ変調部２１とを接続する（ステップＳ１５）。
【００５６】
アナログ検波部１３と検波信号出力部１６とが接続され、送信信号入力部１９とアナログ変調部２１とが接続されると、無線中継装置１は、図４（ｂ）に示す回路になる。
【００５７】
アナログ検波部１３は、情報を有するアナログ信号を、受信信号切替部１５を介して検波信号出力部１６に出力する。
【００５８】
検波信号出力部１６は、このアナログ信号を送信信号入力部１９に供給する。送信信号入力部１９は、供給されたアナログ信号を送信信号として、送信信号切替部２０を介してアナログ変調部２１に供給する。
【００５９】
アナログ変調部２１は、送信信号入力部１９から送信信号切替部２０を介して供給されたアナログ信号で搬送波をアナログ変調し、この変調信号を送信部２３に供給する。
【００６０】
送信部２３は、アナログ変調部２１から供給された変調信号の周波数を変換し、増幅し、この信号を送信アンテナ２４に供給する。送信アンテナ２４は、この信号を送信する。
【００６１】
以上説明したように、本実施形態１によれば、無線中継装置１は、アナログ検波部１３とデジタル検波部１４とアナログ変調部２１とデジタル変調部２２とを備え、検波信号の識別パターンの検出結果に基づいて、受信信号切替部１５と送信信号切替部２０とを制御するようにした。
【００６２】
従って、アナログ変調信号とデジタル変調信号とが混在する状況であっても、受信信号を正しく中継することができ、利便性が向上する。また、無線中継装置１は、アナログ信号用の構成とデジタル信号用の構成とを備えているので、小型化することができる。
【００６３】
また、受信信号を構成するフレームＤ１のヘッダｈ１に格納されている識別パターンをデジタル検波部１４が検出したときに、受信信号がデジタル変調信号であるとＣＰＵ２５が判定するようにした。
【００６４】
このため、受信信号がデジタル変調信号であるのかアナログ変調信号であるのか、不明であっても、ノイズを送信することなく受信信号を正しく中継することができる。
【００６５】
（実施形態２）
実施形態２に係る無線中継装置は、２台の無線送受信機を接続するようにしたものである。
【００６６】
実施形態２に係る無線中継装置１の構成を図５に示す。
実施形態２に係る無線中継装置１は、無線（送受信）機１ａと、無線（送受信）機１ｂと、を備える。
【００６７】
無線機１ａは、アンテナ１１ａと、受信部１２ａと、アナログ検波部１３ａと、デジタル検波部１４ａと、受信信号切替部１５ａと、音声出力部１７ａと、ＭＩＣ入力部１８ａと、送信信号切替部２０ａと、アナログ変調部２１ａと、デジタル変調部２２ａと、送信部２３ａと、ＣＰＵ２５ａと、ＲＯＭ２６ａと、コネクタ２７ａと、を備える。
【００６８】
無線機１ｂは、アンテナ１１ｂと、受信部１２ｂと、アナログ検波部１３ｂと、デジタル検波部１４ｂと、受信信号切替部１５ｂと、音声出力部１７ｂと、ＭＩＣ入力部１８ｂと、送信信号切替部２０ｂと、アナログ変調部２１ｂと、デジタル変調部２２ｂと、送信部２３ｂと、ＣＰＵ２５ｂと、ＲＯＭ２６ｂと、コネクタ２７ｂと、を備える。
【００６９】
アンテナ１１ａ，１１ｂは、アナログ変調信号又はデジタル変調信号を送受信するものである。
【００７０】
受信部１２ａ，１２ｂは、実施形態１の受信部１２と同様のものである。アナログ検波部１３ａ，１３ｂは、実施形態１のアナログ検波部１３と同様のものである。
【００７１】
デジタル検波部１４ａ，１４ｂは、実施形態１のデジタル検波部１４と同様のものである。但し、実施形態２では、アナログ検波部１３ａ，１３ｂは、それぞれ、音声出力部１７ａ，１７ｂに音声信号を供給する。
【００７２】
受信信号切替部１５ａ，１５ｂは、実施形態１の受信信号切替部１５と同様のものである。音声出力部１７ａ，１７ｂは、実施形態１の音声出力部１７と同様のものである。
【００７３】
ＭＩＣ入力部１８ａ，１８ｂは、実施形態１のＭＩＣ入力部１８と同様のものである。送信信号切替部２０ａ，２０ｂは、実施形態１の送信信号切替部２０と同様のものである。
【００７４】
アナログ変調部２１ａ，２１ｂは、実施形態１のアナログ変調部２１と同様のものである。デジタル変調部２２ａ，２２ｂは、実施形態１のデジタル変調部２２と同様のものである。送信部２３ａ，２３ｂは、実施形態１の送信部２３と同様のものである。
【００７５】
コネクタ２７ａ，２７ｂは、無線機１ｂ，１ａとを接続するためのものである。無線機１ａのコネクタ２７ａは、端子Ｐ１ａ〜Ｐ４ａを有し、無線機１ｂのコネクタ２７ｂは、端子Ｐ１ｂ〜Ｐ４ｂを有する。
【００７６】
端子Ｐ１ａ，Ｐ１ｂは、受信信号切替部１５ａ，１５ｂが選択した検波信号を出力するための端子であり、それぞれ、受信信号切替部１５ａ，１５ｂの一端に接続される。
【００７７】
端子Ｐ４ａ，Ｐ４ｂは、供給された信号を入力するための端子であり、それぞれ、送信信号切替部２０ａ，２０ｂの一端に接続される。
【００７８】
端子Ｐ２ａ，Ｐ２ｂは、それぞれ、判別信号Ｓ２ａ，Ｓ２ｂを出力する端子であり、端子Ｐ３ａ，Ｐ３ｂは、それぞれ、判別信号Ｓ２ｂ，Ｓ２ａを入力する端子である。
【００７９】
また、コネクタ２７ａの端子Ｐ１ａは、コネクタ２７ｂの端子Ｐ４ｂに接続され、コネクタ２７ａの端子Ｐ４ａは、コネクタ２７ｂの端子Ｐ１ｂに接続される。コネクタ２７ａの端子２ａは、コネクタ２７ｂの端子Ｐ３ｂに接続され、コネクタ２７ａの端子Ｐ３ａは、コネクタ２７ｂの端子Ｐ２ｂに接続される。
【００８０】
ＣＰＵ２５ａ，２５ｂは、実施形態１のＣＰＵ２５と同様のものである。但し、実施形態２のＣＰＵ２５ａ，２５ｂは、それぞれ、受信信号がアナログ変調信号と判別したときは、アナログ検波部１３ａ，１３ｂが検波して取得したアナログ信号を選択して無線機１ｂのアナログ変調部２１ｂ、無線機１ａのアナログ変調部２１ａに供給すべく、アナログ検波部１３ａとコネクタ２７ａの端子Ｐ１ａとを接続するように受信信号切替部１５ａ，１５ｂを制御する。
【００８１】
また、ＣＰＵ２５ａ，２５ｂは、受信信号がアナログ変調信号と判別したときは、それぞれ、受信信号がアナログ変調信号であることを示す判別信号Ｓ２ａ，Ｓ２ｂを生成する。
【００８２】
ＣＰＵ２５ａ，２５ｂは、それぞれ、生成した受信した信号がアナログ変調信号かデジタル変調信号かを示す判別信号Ｓ２ａ，Ｓ２ｂを出力する端子Ｐ５ａ，Ｐ５ｂを有している。この端子Ｐ５ａ，Ｐ５ｂは、それぞれ、コネクタ２７ａの端子Ｐ２ａ、コネクタ２７ｂの端子Ｐ２ｂに接続される。
【００８３】
そして、ＣＰＵ２５ａ，２５ｂは、受信した信号がアナログ変調信号であることを示す判別信号Ｓ２ａ，Ｓ２ｂを生成すると、生成した判別信号Ｓ２ａ，Ｓ２ｂを端子Ｐ５ａ，Ｐ５ｂから出力する。
【００８４】
また、ＣＰＵ２５ｂ，２５ａは、それぞれ、無線機１ａ，１ｂから供給された判別信号Ｓ２ａ，Ｓ２ｂを入力するための端子Ｐ６ｂ，Ｐ６ａを有している。この端子Ｐ６ｂ，Ｐ６ａは、それぞれ、コネクタ２７ｂの端子Ｐ３ｂ、コネクタ２７ａの端子Ｐ３ａに接続される。
【００８５】
ＣＰＵ２５ｂ，２５ａは、それぞれ、コネクタ２７ｂ，２７ａの端子Ｐ３ｂ，Ｐ３ａを介して、端子Ｐ６ｂ，Ｐ６ａに受信信号がアナログ変調信号であることを示す判別信号Ｓ２ａ，Ｓ２ｂが供給されたときは、端子Ｐ４ｂ，Ｐ４ａに入力された信号をアナログ変調部２１ｂ，２１ａに供給すべく、端子Ｐ４ｂ，Ｐ４ａとアナログ変調部２１ｂ，２１ａとを接続するように送信信号切替部２０ｂ，２０ａを制御する。
【００８６】
一方、ＣＰＵ２５ａ，２５ｂは、受信信号がデジタル変調信号と判別したときは、それぞれ、デジタル検波部１４ａ，１４ｂが検波して取得したデジタル信号を選択して無線機１ｂのデジタル変調部２２ｂ、無線機１ａのデジタル変調部２２ａに供給すべく、デジタル検波部１４ａとコネクタ２７ａの端子Ｐ１ａとを接続するように受信信号切替部１５ａ，１５ｂを制御する。
【００８７】
そして、ＣＰＵ２５ａ，２５ｂは、それぞれ、受信信号がデジタル変調信号であることを示す判別信号Ｓ２ａ，Ｓ２ｂを生成し、生成した判別信号Ｓ２ａ，Ｓ２ｂを端子Ｐ５ａ，Ｐ５ｂから出力する。
【００８８】
ＣＰＵ２５ｂ，２５ａは、それぞれ、コネクタ２７ｂ，２７ａの端子Ｐ３ｂ，Ｐ３ａを介して、端子Ｐ６ｂ，Ｐ６ａに受信信号がデジタル変調信号であることを示す判別信号Ｓ２ａ，Ｓ２ｂが供給されたときは、端子Ｐ４ｂ，Ｐ４ａに入力された信号をアナログ変調部２１ｂ，２１ａに供給すべく、端子Ｐ４ｂ，Ｐ４ａとアナログ変調部２１ｂ，２１ａとを接続するように送信信号切替部２０ｂ，２０ａを制御する。
【００８９】
ＲＯＭ２６ａ，２６ｂは、それぞれ、ＣＰＵ２５ａが実行する切替制御処理（２）、ＣＰＵ２５ｂが実行する切替制御処理（３）のプログラムデータを記憶する。
【００９０】
次に実施形態２に係る無線中継装置１の動作を説明する。
無線機１ａのアンテナ１１ａが高周波の受信信号を受信した場合、デジタル検波部１４ａは、中間周波信号から識別パターンの検出を行い、識別パターンの検出結果をＣＰＵ２５ａに供給する。
【００９１】
ＣＰＵ２５ａは、デジタル検波部１４ａから、識別パターンの検出結果が供給されると、ＲＯＭ２６ａから、切替制御処理（２）のプログラムデータを読み出して、図６に示すフローチャートに従って、この処理を実行する。
【００９２】
ＣＰＵ２５ａは、デジタル検波部１４ａから供給された検出結果に基づいて、受信信号がデジタル変調信号か否かを判定する（ステップＳ２１）。
【００９３】
受信信号がデジタル変調信号と判定した場合（ステップＳ２１；Ｙｅｓ）、ＣＰＵ２５ａは、デジタル検波部１４ａとコネクタ２７ａの端子Ｐ１ａとを接続するように受信信号切替部１５ａを制御する（ステップＳ２２）。
【００９４】
ＣＰＵ２５ａは、受信信号がデジタル変調信号である旨の判別信号Ｓ２ａを端子Ｐ５ａから出力し（ステップＳ２４）、この切替制御処理（２）を終了させる。
【００９５】
一方、受信信号がアナログ変調信号と判定した場合（ステップＳ２１；Ｎｏ）、ＣＰＵ２５ａは、アナログ検波部１３ａとコネクタ２７ａの端子Ｐ１ａとを接続するように受信信号切替部１５ａを制御する（ステップＳ２３）。
【００９６】
ＣＰＵ２５ａは、受信信号がアナログ変調信号である旨の判別信号Ｓ２ａを端子Ｐ５ａから出力し（ステップＳ２４）、この切替制御処理（２）を終了させる。
【００９７】
無線機１ｂのＣＰＵ２５ｂは、無線機１ａから端子Ｐ６ｂに判別信号Ｓ２ａが供給されると、ＲＯＭ２６ｂから切替制御処理（３）のプログラムデータを読み出して、図７に示すフローチャートに従って、この処理を実行する。
【００９８】
ＣＰＵ２５ｂは、無線機１ａから供給された判別信号Ｓ２ａに基づいて、受信信号がデジタル変調信号か否かを判定する（ステップＳ３１）。
【００９９】
無線機１ａからデジタル変調信号である旨の判別信号Ｓ２ａが供給されたとき、ＣＰＵ２５ｂは、受信信号がデジタル変調信号と判定する（ステップＳ３１；Ｙｅｓ）。この場合、ＣＰＵ２５ｂは、端子Ｐ４ｂとデジタル変調部２２ｂとが接続されるように送信信号切替部２０ｂを制御する（ステップＳ３２）。そして、ＣＰＵ２５ｂは、この切替制御処理（３）を終了させる。
【０１００】
一方、無線機１ａからアナログ変調信号である旨の判別信号Ｓ２ａが供給されたとき、ＣＰＵ２５ｂは、受信信号がアナログ変調信号と判定する（ステップＳ３１；Ｎｏ）。この場合、ＣＰＵ２５ｂは、端子Ｐ４ｂとアナログ変調部２１ｂとが接続されるように送信信号切替部２０ｂを制御する（ステップＳ３３）。そして、ＣＰＵ２５ｂは、この切替制御処理（３）を終了させる。
【０１０１】
次に、実施形態２に係る無線中継装置１の動作を具体的に説明する。
無線機１ａのＣＰＵ２５ａがデジタル検波部１４ａから供給された検出結果に基づいて受信信号がデジタル変調信号であると判定すると、受信信号切替部１５ａは、ＣＰＵ２５ａによって制御され、デジタル検波部１４ａと端子Ｐ１ａとを接続する（ステップＳ２２）。
【０１０２】
また、ＣＰＵ２５ａは、受信信号がデジタル変調信号である旨の判別信号Ｓ２ａを生成し、生成した判別信号Ｓ２ａを端子Ｐ５ａから出力する。
【０１０３】
無線機１ａから無線機１ｂのＣＰＵ２５ｂに、受信信号がデジタル変調信号である旨の判別信号Ｓ２ａが端子Ｐ６ｂに供給されると、ＣＰＵ２５ｂは送信信号切替部２０ｂを制御し、送信信号切替部２０ｂは、端子Ｐ４ｂとデジタル変調部２２ｂとを接続する（ステップＳ３２）。
【０１０４】
無線機１ａのデジタル検波部１４ａと端子Ｐ１ａとが接続され、無線機１ｂの端子Ｐ４ｂとデジタル変調部２２ｂとが接続されると、無線中継装置１は、図８（ａ）に示す回路になる。
【０１０５】
デジタル検波部１４ａは、情報を有するデジタル信号を、受信信号切替部１５ａ、コネクタ２７ａの端子Ｐ１ａ、無線機１ｂのコネクタ２７ｂの端子Ｐ４ｂ、送信信号切替部２０ｂを介してデジタル変調部２２ｂに供給する。
【０１０６】
デジタル変調部２２ｂは、供給されたデジタル信号で搬送波をデジタル変調し、この変調信号を送信部２３ｂに供給する。
【０１０７】
送信部２３ｂは、デジタル変調部２２ｂから供給された変調信号の周波数を変換し、増幅し、この信号をアンテナ１１ｂに供給する。アンテナ１１ｂは、この信号を送信する。
【０１０８】
一方、無線機１ａのＣＰＵ２５ａがデジタル検波部１４ａから供給された検出結果に基づいて受信信号がデジタル変調信号であると判定すると、受信信号切替部１５ａは、ＣＰＵ２５ａによって制御され、アナログ検波部１３ａとコネクタ２７ａの端子Ｐ１ａとを接続する（ステップＳ２３）。
【０１０９】
また、ＣＰＵ２５ａは、受信信号がアナログ変調信号である旨の判別信号Ｓ２ａを生成し、生成した判別信号Ｓ２ａを端子Ｐ５ａから出力する（ステップＳ２４）。
【０１１０】
無線機１ａから無線機１ｂのＣＰＵ２５ｂに、受信信号がアナログ変調信号である旨の判別信号Ｓ２ａが端子Ｐ６ｂに供給されると、ＣＰＵ２５ｂは送信信号切替部２０ｂを制御し、送信信号切替部２０ｂは、コネクタ２７ｂの端子Ｐ４ｂとアナログ変調部２１ｂとを接続する（ステップＳ３３）。
【０１１１】
無線機１ａのアナログ検波部１３ａとコネクタ２７ａの端子Ｐ１ａとが接続され、無線機１ｂのコネクタ２７ｂの端子Ｐ４ｂとアナログ変調部２１ｂとが接続されると、無線中継装置１は、図８（ｂ）に示す回路になる。
【０１１２】
アナログ検波部１３ａは、情報を有するアナログ信号を、受信信号切替部１５ａ、コネクタ２７ａの端子Ｐ１ａ、コネクタ２７ｂの端子Ｐ１ｂ、送信信号切替部２０ｂを介してアナログ変調部２１ｂに供給する。
【０１１３】
アナログ変調部２１ｂは、供給されたアナログ信号で搬送波をアナログ変調し、この変調信号を送信部２３ｂに供給する。
【０１１４】
送信部２３ｂは、アナログ変調部２１ｂから供給された変調信号の周波数を変換し、増幅し、この信号をアンテナ１１ｂに供給する。アンテナ１１ｂは、この信号を送信する。
【０１１５】
また、アンテナ１１ｂが受信信号を受信したときも、無線中継装置１は、同様に動作し、受信信号がデジタル変調信号又はアナログ変調信号であっても、受信信号を中継してアンテナ１１ｂから信号を送信する。
【０１１６】
以上説明したように、本実施形態２によれば、上記構成の２つの無線機１ａ，１ｂを接続することにより、無線中継装置１を構成することができる。
【０１１７】
また、このような構成により、アンテナ１１ａとアンテナ１１ｂとが同時にデジタル変調信号とアナログ変調信号とを受信した場合でも、受信信号を中継することができる。
【０１１８】
また、例えば、無線機１ｂを保守、点検する場合に、無線機１ａ，１ｂを切り離し、無線機１ａの端子Ｐ１ａと端子Ｐ４ａとを接続し、端子Ｐ２ａと端子Ｐ３ａとを接続すれば、無線機１ａは、実施形態１に係る無線中継装置１として機能する。このため、受信信号の中継を中断せずに、保守、点検を行うことができる。
【０１１９】
また、無線機１ａ，１ｂに備えられたアンテナ１１ａ，１１ｂが１つだけであっても、無線機１ａ，１ｂが接続されることにより、受信用、送信用のアンテナが別々に設けられたことになるので、送信用周波数と受信用周波数とを別々に設定することもできる。
【０１２０】
尚、本発明を実施するにあたっては、種々の形態が考えられ、上記実施の形態に限られるものではない。
例えば、上記実施形態１におけるデジタル検波部１４、実施形態２におけるデジタル検波部１４ａ，１４ｂが、受信信号のヘッダｈ１に格納されている識別パターンを検出した結果に基づいて、直接、受信信号切替部１５，１５ａ，１５ｂと送信信号切替部２０，２０ａ，２０ｂの切り替え制御を行うこともできる。このようにすれば、ＣＰＵ２５，２５ａ，２５ｂを省くこともできる。
【０１２１】
また、識別パターンを用いずに、ＣＰＵ２５は、デジタル検波部１４が中間周波信号を同期検波できたか否かを判別することにより、受信信号がデジタル変調信号かアナログ変調信号かを判別することができる。
【０１２２】
上記実施形態２では、無線機１ａ，１ｂを接続することにより、無線中継装置１が構成された。しかし、接続する無線機は２台とは限らず、無線中継装置は、３台以上の無線機を接続することにより構成されてもよい。
【０１２３】
また、実施形態２においても実施形態と同様、無線機１ａ，１ｂのアンテナとして、それぞれ、受信用、送信用のアンテナを別々に設け、保守、点検のために、無線機１ａ，１ｂを切り離した場合でも、送信用周波数と受信用周波数とを別々に設定できるようにしてもよい。
【０１２４】
また、本実施形態１，２では、無線中継装置１は、送信する信号形式をデジタル又はアナログの所望の信号形式を選択して送信することができる。
【０１２５】
例えば、送信する信号形式としてデジタル変調信号が選択された場合、受信した信号がデジタル変調信号であれば、無線中継装置１は、上述した方法によりこのデジタル変調信号を送信する。一方、受信した信号がアナログ変調信号であれば、無線中継装置１は、アナログ信号をデジタル変調部２２（又は２２ａ，２２ｂ）に伝送してデジタル変調信号を送信する。
【０１２６】
また、送信する信号形式としてアナログ変調信号が選択された場合、受信した信号がアナログ変調信号であれば、無線中継装置１は、上述した方法によりこのアナログ変調信号を送信する。一方、受信した信号がデジタル変調信号であれば、無線中継装置１は、デジタル信号をアナログ変調部２１（又は２１ａ，２１ｂ）に伝送してアナログ変調信号を送信する。
【図面の簡単な説明】
【０１２７】
【図１】本発明の実施形態１に係る無線中継装置の構成を示すブロック図である。
【図２】本実施形態１の受信アンテナが受信するデジタル変調信号の構成を示す図である。
【図３】図１に示すＣＰＵが実行する切替制御処理（１）を示すフローチャートである。
【図４】図１に示す無線中継装置が受信信号を受信した場合の構成を示すブロック図であり、（ａ）は、受信信号としてデジタル変調信号を受信した場合の構成を示し、（ｂ）は、アナログ変調信号を受信した場合の構成を示す。
【図５】本発明の実施形態２に係る無線中継装置の構成を示すブロック図である。
【図６】図５に示すＣＰＵが実行する切替制御処理（２）を示すフローチャートである。
【図７】図５に示すＣＰＵが実行する切替制御処理（３）を示すフローチャートである。
【図８】図５に示す無線中継装置が受信信号を受信した場合の構成を示す図であり、（ａ）は、受信信号としてデジタル変調信号を受信した場合の構成を示し、（ｂ）は、アナログ変調信号を受信した場合の構成を示す。
【符号の説明】
【０１２８】
１  無線中継装置
１ａ，１ｂ  無線機
１１  受信アンテナ
１１ａ，１１ｂ  アンテナ
１２，１２ａ，１２ｂ  受信部
１３，１３ａ，１３ｂ  アナログ検波部
１４，１４ａ，１４ｂ  デジタル検波部
１５，１５ａ，１５ｂ  受信信号切替部
１６  検波信号出力部
１９  送信信号入力部
２０，２０ａ，２０ｂ  送信信号切替部
２１，２１ａ，２１ｂ  アナログ変調部
２２，２２ａ，２２ｂ  デジタル変調部
２５，２５ａ，２５ｂ  ＣＰＵ
２７ａ，２７ｂ  コネクタ
【図１】
2008167089.tif 000003
【図２】
2008167089.tif 000004
【図３】
2008167089.tif 000005
【図４】
2008167089.tif 000006
【図５】
2008167089.tif 000007
【図６】
2008167089.tif 000008
【図７】
2008167089.tif 000009
【図８】
2008167089.tif 000010